(57)【要約】【課題】上げ下げ窓の縦枠内部にコンパクトに収納でき、窓部の昇降ストロークの設定も自由にでき、窓体の上げ下げ窓の昇降操作の軽減化と、任意の開閉位置における停止状態の持続性とを図る。【解決手段】縦枠部に固定配置した筐体２に、筐体２に内装した弾性体５によって保持したバランサーナット体３を、筐体２内部の１条もしくは多条の雌ネジ部２Ａに昇降自在と成して捩じ込む。また、筐体２に対し引き出し乃至押し込み方向に移動することでバランサーナット体３を筐体２内部で昇降移動可能にし且つ下端側を内側窓部Ｑ１の下框Ｒ側部に連結して成る螺旋帯板状のバランサーロッド体４を、バランサーナット体３に形成した案内係合部７に貫挿する。このバランサーロッド体４の筐体２に対する有効引き出しまたは有効押し込みのストロークにおいて任意の引き出し位置または押し込み位置で弾性体５による略一定の引張力または押圧力を得るようにする。【選択図】　　　　　図１
2004131944.tif 000002
【特許請求の範囲】
【請求項１】
窓体の縦枠内部に固定配置された筐体と、この筐体の内周面に形成した雌ネジ部に捩じ込まれて昇降自在と成し、筐体に内装させた収縮乃至伸張可能な弾性体によって保持されたバランサーナット体と、バランサーナット体に穿開形成した案内係合部に貫挿され、筐体に対し引き出し乃至押し込み方向に移動させることでバランサーナット体を筐体内部で昇降移動可能にし且つ下端側を内側窓部の下框側部に連結して成る螺旋帯板状のバランサーロッド体とを備えたことを特徴とする上げ下げ窓用バランサー装置。
【請求項２】
バランサーロッド体は、軸方向に沿っての螺旋ピッチが不等配に形成されている請求項１記載の上げ下げ窓用バランサー装置。
【請求項３】
弾性体は、引張乃至圧縮可能なコイルスプリングによって形成されている請求項１または２記載の上げ下げ窓用バランサー装置。
【請求項４】
弾性体は、筐体の下端部開口側に一端側が固定された状態で筐体の長手方向に沿って内装配置され、弾性体の他端側は、バランサーナット体に対し回転自在に連結した自在継手部に固定されている請求項１乃至３のいずれか記載の上げ下げ窓用バランサー装置。
【請求項５】
窓体の縦枠部と上げ下げ窓の上框もしくは下框との間に牽引部材を付加配置させた請求項１乃至４のいずれか記載の上げ下げ窓用バランサー装置。
【請求項６】
バランサー装置に対し、機械式・油圧式・流体摩擦抵抗式等の制動装置を付加した請求項１乃至５のいずれか記載の上げ下げ窓用バランサー装置。
【発明の詳細な説明】
【０００１】
【発明の属する技術分野】
本発明は、上げ下げ窓の昇降操作の軽減化と任意の開閉位置における停止状態の持続性とを可能にした上げ下げ窓用バランサー装置に関するものである。
【０００２】
【従来の技術】
従来、この種のバランサー装置としては、渦巻きバネによる回転方向の付勢力を利用して上げ下げ窓の可動窓部をワイヤー等にて吊持しておき、このワイヤー等を巻き取っている巻き取りドラムに巻き上げ方向の力を与えて窓部の重量と釣り合う平衡力を作用させるようにした渦巻きバネ式バランサー装置が提案されている。また、薄板状のトーションスプリングを利用して可動窓部の重量と釣り合う平衡力を作用させるようにした機構を備えたバランサー装置もある。
【０００３】
【発明が解決しようとする課題】
しかしながらこのような従来におけるバランサー装置では、渦巻きバネを利用した場合、バネの渦巻き形状が大きいため、上げ下げ窓の狭い縦枠内部に収納することが不可能となる。またこれを縦枠内部に無理に収めるために渦巻き形状を十分に小さくした場合には、バネの弾性的な寿命が短くなってしまい、しかも窓部の昇降ストロークも極端に短くなってしまう。一方、薄板状のトーションスプリングを利用した場合、トーションスプリング自体のへたりが大きくて安定した引張力あるいは押圧力を得ることが困難で且つ寿命も短い等の問題点を有していた。
【０００４】
そこで本発明は叙上のような従来存した諸事情に鑑み創出されたもので、上げ下げ窓の縦枠内部にコンパクトに収められ、窓部の昇降ストロークの設定も自由にでき、窓部に対して安定した引張力あるいは押圧力を得ることができ、窓体の上げ下げ窓の昇降操作の軽減化と、任意の開閉位置における停止状態の持続性とを可能にした上げ下げ窓用バランサー装置を提供することを目的とする。
【０００５】
【課題を解決するための手段】
上述した課題を達成するため、本発明にあっては、窓体Ｐの縦枠内部に固定配置された筐体２と、この筐体２の内周面に形成した雌ネジ部２Ａ、例えば１条もしくは多条に形成した断面が矩形状あるいは三角山形のセレーション状等に形成された雌ネジ部分に捩じ込まれて昇降自在と成し、筐体２に内装させた収縮乃至伸張可能な弾性体５によって保持されるよう、雌ネジ部分の形状に対応した雄ネジ部分を外周面に形成したバランサーナット体３と、バランサーナット体３に穿開形成した案内係合部７に貫挿され、筐体２に対し引き出し乃至押し込み方向に移動させることでバランサーナット体３を筐体２内部で昇降移動可能にし且つ下端側を内側窓部Ｑ１の下框側部に連結して成る螺旋帯板状のバランサーロッド体４とを備えたものである。
バランサーロッド体４は、軸方向に沿っての螺旋ピッチが次第に小さくあるいは大きくなるよう不等配に形成されているものとできる。
弾性体５は、引張乃至圧縮可能なコイルスプリングによって形成されているものとできる。
弾性体５は、筐体２の下端部開口側に一端側が固定された状態で筐体２の長手方向に沿って内装配置され、弾性体５の他端側は、バランサーナット体３に対し回転自在に連結した自在継手部６に固定されているものとできる。
窓体Ｐの縦枠部と上げ下げ窓の上框もしくは下框との間に牽引部材を付加配置させるように構成することができる。
バランサー装置に対し、機械式・油圧式・流体摩擦抵抗式等の制動装置を付加することができる。
【０００６】
以上のように構成された本発明に係る上げ下げ窓用バランサー装置において、窓体Ｐの縦枠に固定配置された筐体２の雌ネジ部２Ａに捩じ込まれて昇降自在と成し、弾性体５によって保持されたバランサーナット体３は、バランサーロッド体４の螺旋ピッチにしたがって回転され、筐体２に沿っての昇降移動ストロークが決定される。これによりバランサーロッド体４の筐体２に対する有効引き出しまたは有効押し込みのストローク範囲内においてコイルスプリング状の弾性体５により内側窓部Ｑ１に対し任意の引き出し位置または押し込み位置で略一定の引張力または押圧力を付与させる。
このときバランサーロッド体４の不等配に形成された螺旋ピッチにより、内側窓部Ｑ１を閉めるに際し、内側窓部Ｑ１が上側に位置した窓の開放状態から下方側へ向けて降下させ始めるときには、弾性体５に引張力を付与しながらバランサーナット体３は最初は早く回転して筐体２内部を早く降下させ、窓の下端側では次第にゆっくりと降下させる。
一方、内側窓部Ｑ１を開けるに際し、内側窓部Ｑ１が下側に位置した窓の閉塞状態から上方側へ向けて上昇させ始めるときには、弾性体５の引張力を解放しながらバランサーナット体３は最初はゆっくりと回転して筐体２内部をゆっくりと上昇させ、窓の上端側で次第に早く上昇させる。
また弾性体５に対し予め内側窓部Ｑ１の重量と釣り合う力に弾性力を付与させることで、弾性体５は内側窓部Ｑ１がどの位置にあってもしかもどのような重量であっても当該内側窓部Ｑ１と釣り合うようになり、窓体Ｐに対する任意の窓部開位置で停止されると同時に、上下方向に力が均衡しているため僅かな力で内側窓部Ｑ１を昇降操作させる。
弾性体５の他端側を固定し且つバランサーナット体３に対し回転自在に連結した自在継手部６は、バランサーナット体３が回転しても自在継手部６は回転せずにバランサーナット体３の昇降移動に追従可能にさせる。
窓体Ｐの縦枠部と上げ下げ窓の上框もしくは下框との間に牽引部材を付加配置させることで、バランサー装置１自体を上げ下げ窓の上框もしくは下框のいずれかの位置に取り付け可能にさせる。
バランサー装置に対し、機械式・油圧式・流体摩擦抵抗式等の制動装置を付加することで、重量の大きな上げ下げ窓に対するバランサー装置１の使用を可能にさせる。
【０００７】
【発明の実施の形態】
以下図面を参照して本発明の実施の形態を説明すると、図１乃至図５において示される第１の実施の形態における符号１は、矩形枠状に形成された窓開口部の左右両側の略コ字形に形成した縦枠内部のガイド溝部（図示せず）に沿って昇降自在とされる内側窓部Ｑ１と、窓開口部に対して固定された外側窓部Ｑ２とから成る窓体Ｐにおいて、内側窓部Ｑ１を昇降させるようにした上げ下げ窓のバランサー装置である。
【０００８】
尚、このバランサー装置１は、窓体Ｐの縦枠内部と上げ下げ窓の上框もしくは下框Ｒとの間に例えばロープ・ベルト・ワイヤー等の牽引部材を付加配置させることで、バランサー装置１自体を上げ下げ窓の上框もしくは下框Ｒのいずれかの位置に取り付けても良い。さらに、本バランサー装置１を重量の大きな上げ下げ窓に使用する場合、イナーシャ（慣性）が大きいため、例えば機械式・油圧式・流体摩擦抵抗式等の制動装置（図示せず）を付加して使用することもできる。
【０００９】
このバランサー装置１は、図１、図２に示すように、縦枠内部の上側に固定配置され、内面に１条もしくは多条にして断面が矩形状あるいは三角山形のセレーション状を呈する雌ネジ部分となっている雌ネジ部２Ａが形成された円筒形状の筐体２と、筐体２内部の雌ネジ部２Ａに捩じ込まる雄ネジ部２Ｂが周面に形成され、両ネジ部による回転で昇降自在と成し、筐体２の長手方向に沿って内装させた例えばコイルスプリング等の収縮乃至伸張可能な弾性体５によって保持された有底筒状のバランサーナット体３とを備えている。そしてバランサー装置１には、バランサーナット体３の底面側中央に穿開形成したスリット状の案内係合部７に貫挿され（図３参照）、筐体２に対し引き出し乃至押し込み方向に移動させることでバランサーナット体３をネジ回転させて筐体２内部で当該バランサーナット体３を所定のネジピッチにしたがって昇降移動可能にし且つ下端側を内側窓部Ｑ１の下框Ｒ側部に連結して成る螺旋帯板状のバランサーロッド体４を備えている。尚、図３に示すように、バランサーナット体３の案内係合部７の長手方向に沿った開口幅員は、バランサーロッド体４の断面幅員と略同じ長さに形成してあり、バランサーナット体３の外面には、雌ネジ部２Ｂに対応する１条もしくは多条にして断面が矩形状あるいは三角山形のセレーション状を呈する雄ネジ部分が形成されている。
【００１０】
弾性体５は、筐体２の下端部開口側において横断状に装架されている固定ピン９によって一端側が固定された状態で筐体２の長手方向に沿って内装されており、また弾性体５の他端側は、バランサーナット体３に対し回転自在に連結した自在継手部６に固定されている。この自在継手部６は、筒体の略上側半分の外周を細径状に窪ませることにより上側一端に環状のフランジ部６Ａと略中央に段差部６Ｂとが形成され、バランサーナット体３の下部開口側内周面に内側へ向けて突出形成した環状の掛架用突起部３Ａに対しドーナツ形状の低摩擦部材３Ｂ等を介してフランジ部６Ａが掛架保持され、また弾性体５の他端側が段差部６Ｂに掛架保持されている。これにより、バランサーナット体３が回転しても自在継手部６は回転せずにバランサーナット体３の昇降移動に追従できるものとなる。尚、筐体２の上端部開口側の内周縁部には、バランサーナット体３の回転を係止して筐体２からの離脱を阻止するためのストッパー部８が形成されている。
【００１１】
バランサーロッド体４は、軸方向に沿っての螺旋ピッチが軸方向の一方に至るに従い次第に小さくあるいは大きくなるように不等配に、例えば上端側から下端側に行くに従って次第に螺旋ピッチが増えるようにしてあり、バランサーナット体３の回転がこの螺旋ピッチによって決定されるものとしてある。これにより、図１に示すように内側窓部Ｑ１が上側に位置した窓の開放状態から下方側へ向けて降下させ始めた際には、バランサーナット体３は最初は早く回転して筐体２内部を早く降下して行き、窓の下端側で次第にゆっくりと降下する。一方、図２に示すように内側窓部Ｑ１が下側に位置した窓の閉塞状態から上方側へ向けて上昇させ始めた際には、バランサーナット体３は最初はゆっくりと回転して筐体２内部をゆっくりと上昇して行き、窓の上端側で次第に早く上昇する。このようにバランサーロッド体４の筐体２に対する有効引き出しまたは有効押し込みのストロークにおいて任意の引き出し位置または押し込み位置で弾性体５による略一定の引張力または押圧力が得られるようにしてある。
【００１２】
このバランサーナット体３の案内係合部７を貫通するバランサーロッド体４が内側窓部Ｑ１の上下移動に伴って昇降されると、図３、図４に示すように、当該案内係合部７がバランサーロッド体４の螺旋面に案内されてバランサーナット体３が回転し、自在継手部６を介して弾性体５を収縮あるいは伸張させる。従って、弾性体５に対し予め内側窓部Ｑ１の重量と釣り合う力に弾性力を付与させておけば、弾性体５は内側窓部Ｑ１がどの位置にあってもしかもどのような重量であっても当該内側窓部Ｑ１と釣り合うようになり、窓開口部に対する任意の窓部開位置で停止できると同時に、上下方向に力が均衡しているため僅かな力で内側窓部Ｑ１を昇降操作できるものとなる。
【００１３】
すなわち弾性体５の伸張による引張力とバランサーロッド体４の筐体２に対する引き出しストロークとが互いに同期するようにしておけば、バランサーロッド体４の引き出しストロークに対する弾性体５の引張力の変化が略減少されるものとなる。例えば、バランサーロッドの引き出し前の初張力は、弾性体５であるコイルスプリングを予め伸ばしておけば良い。あるいはバランサーナット体３を筐体２内の下側位置に引張り出しておくか、または筐体２の下端部開口側に装架されている固定ピン９の位置を下方側に配置させても良い。
【００１４】
次に以上のように構成された実施の形態についての使用、動作の一例を説明するに、図５（ａ）に示すように、内側窓部Ｑ１を閉めるに際し、内側窓部Ｑ１が上側に位置した窓の開放状態から下方側へ向けて降下させ始めるときには、弾性体５に引張力を付与しながらバランサーナット体３は最初は早く回転して筐体２内部を早く降下して行き、窓の下端側では次第にゆっくりと降下する。
【００１５】
一方、図５（ｂ）に示すように、内側窓部Ｑ１を開けるに際し、内側窓部Ｑ１が下側に位置した窓の閉塞状態から上方側へ向けて上昇させ始めるときには、弾性体５の引張力を解放しながらバランサーナット体３は最初はゆっくりと回転して筐体２内部をゆっくりと上昇して行き、窓の上端側で次第に早く上昇する。
【００１６】
このとき、弾性体５に対し予め内側窓部Ｑ１の重量と釣り合う力に弾性力を付与させてあるため、弾性体５は内側窓部Ｑ１がどの位置にあってもしかもどのような重量であっても当該内側窓部Ｑ１と釣り合うようになり、窓体Ｐに対する任意の窓部開位置で停止されると同時に、上下方向に力が均衡しているため僅かな力で内側窓部Ｑ１を昇降操作されるものとなる。
【００１７】
図６には本発明に係る第２の実施の形態が示されており、第１の実施の形態における構成と略同じ部分には同じ符号を付してあることでその詳細な説明を省略してある。本実施の形態においては、自在継手部６はスラストベアリング１１によってバランサーナット体３に連結されている。
【００１８】
すなわちこの自在継手部６は、筒体の略上側半分の外周を細径状に窪ませることにより上側一端に環状のフランジ部６Ａと略中央に段差部６Ｂとが形成され、バランサーナット体３の下部開口側内周面に対しスラストベアリング１１を介して細径部が連結され且つフランジ部６Ａが掛架された状態で保持されている。そして弾性体５の一端側が段差部６Ｂに掛架保持され、弾性体５の他端側は筐体２の下端開口部を塞いでいる蓋体１２の中央に備えたラッパ状突起部１２Ａに掛架保持されている。このラッパ状突起部１２Ａの中央の孔にはバランサーロッド体４が自由に通過できるようにしてある。
【００１９】
【発明の効果】
本発明は以上のように構成されているために、上げ下げ窓の縦枠内部にコンパクトに収められ、上げ下げされる内側窓部Ｑ１の昇降ストロークの設定も自由にでき、固定されている外側窓部Ｑ２に対して安定した引張力あるいは押圧力を得ることができ、窓体Ｐの上げ下げ窓の昇降操作の軽減化と、任意の開閉位置における停止状態の持続性とを可能にする。
【００２０】
すなわちこれは本発明が、窓体Ｐの縦枠内部に固定配置された筐体２と、この筐体２の内周面に形成した雌ネジ部２Ａに捩じ込まれて昇降自在と成し、筐体２に内装させた収縮乃至伸張可能な弾性体５によって保持されたバランサーナット体３と、バランサーナット体３に穿開形成した案内係合部７に貫挿され、筐体２に対し引き出し乃至押し込み方向に移動させることでバランサーナット体３を筐体２内部で昇降移動可能にし且つ下端側を内側窓部Ｑ１の下框Ｒ側部に連結して成る螺旋帯板状のバランサーロッド体４とを備えて成るので、これにより、バランサーロッド体４の筐体２に対する有効引き出しまたは有効押し込みのストロークにおいて、上げ下げされる内側窓部Ｑ１の任意の引き出し位置または押し込み位置で弾性体５による略一定の引張力または押圧力が得られる。
【００２１】
バランサーロッド体４は、軸方向に沿っての螺旋ピッチが不等配に形成されているので、内側窓部Ｑ１を閉めるに際し、内側窓部Ｑ１が上側に位置した窓の開放状態から下方側へ向けて降下させ始めるときには、弾性体５に引張力を付与しながらバランサーナット体３は最初は早く回転して筐体２内部を早く降下させ、窓の下端側では次第にゆっくりと降下させることができる。
【００２２】
一方、内側窓部Ｑ１を開けるに際し、内側窓部Ｑ１が下側に位置した窓の閉塞状態から上方側へ向けて上昇させ始めるときには、弾性体５の引張力を解放しながらバランサーナット体３は最初はゆっくりと回転して筐体２内部をゆっくりと上昇させ、窓の上端側で次第に早く上昇させることができる。
【００２３】
このとき弾性体５に対し予め内側窓部Ｑ１の重量と釣り合う力に弾性力を付与させることで、弾性体５は内側窓部Ｑ１がどの位置にあってもしかもどのような重量であっても当該内側窓部Ｑ１と釣り合うようになり、窓体Ｐに対する任意の窓部開位置で停止させることができると同時に、上下方向に力が均衡しているため僅かな力で内側窓部Ｑ１を昇降操作させることができる。
【００２４】
また弾性体５は、引張乃至圧縮可能なコイルスプリングによって形成されているので、筐体２に対して弾性体５をコンパクトに収めることができ、しかも筐体２自体も小さく形成できて、縦枠内部へのバランサー装置１の取り付けも容易となる。
【００２５】
弾性体５は、筐体２の下端部開口側に一端側が固定された状態で筐体２の長手方向に沿って内装配置され、弾性体５の他端側は、バランサーナット体３に対し回転自在に連結した自在継手部６に固定されているので、バランサーナット体３が回転しても自在継手部６は回転せずにバランサーナット体３の昇降移動に追従させることができ、バランサーナット体３の筐体２内部での昇降移動がスムーズに行える。
【００２６】
窓体Ｐの縦枠部と上げ下げ窓の上框もしくは下框Ｒとの間に牽引部材を付加配置させたので、バランサー装置１自体を上げ下げ窓の上框もしくは下框Ｒのいずれかの位置に取り付けることができる。
【００２７】
バランサー装置１に対し、機械式・油圧式・流体摩擦抵抗式等の制動装置を付加したので、重量の大きな上げ下げ窓に対するバランサー装置１の使用が可能となる。
【図面の簡単な説明】
【図１】本発明の第１の実施の形態の上げ下げ窓の窓部開放状態におけるバランサー装置の一部切欠断面図である。
【図２】同じく窓部閉塞状態における一部切欠断面図である。
【図３】図１中のＡ−Ａ矢視線部分の断面図である。
【図４】バランサーロッド体とバランサーナット体の相互間の動作を説明するための一部切欠斜視図である。
【図５】本発明のバランサー装置を使用した上げ下げ窓の正面図であり、（ａ）は内側窓部の開放状態、（ｂ）は内側窓部の閉塞状態を示す。
【図６】本発明の第２の実施の形態の上げ下げ窓の窓部開放状態におけるバランサー装置の一部切欠断面図である。
【符号の説明】
Ｐ…窓体　　　　　　　　　　　　　　Ｑ１…内側窓部
Ｑ２…外側窓部　　　　　　　　　　　Ｒ…下框
１…バランサー装置　　　　　　　　　２Ａ…雌ネジ部
２Ｂ…雄ネジ部　　　　　　　　　　　２…筐体
３…バランサーナット体　　　　　　　３Ａ…掛架用突起部
３Ｂ…低摩擦部材　　　　　　　　　　４…バランサーロッド体
５…弾性体　　　　　　　　　　　　　６…自在継手部
６Ａ…フランジ部　　　　　　　　　　６Ｂ…段差部
７…案内係合部　　　　　　　　　　　８…ストッパー部
９…固定ピン
１１…スラストベアリング　　　　　　１２…蓋体
１２Ａ…ラッパ状突起部
【図１】
2004131944.tif 000003
【図２】
2004131944.tif 000004
【図３】
2004131944.tif 000005
【図４】
2004131944.tif 000006
【図５】
2004131944.tif 000007
【図６】
2004131944.tif 000008